(57)【要約】【課題】解答内容に応じて対応を変える自動採点装置及び自動採点システムを提供する。【解決手段】解答欄を有する記録媒体を読み取って記録媒体から解答情報を取得する取得手段と、取得手段で取得した記録媒体に記載された正解の解答情報と不正解の解答情報とを用いて、記録媒体に正解の解答情報が記載された領域と不正解の解答情報が記載された領域に形成する画像を異なるようにする画像形成手段と、を備え、画像形成手段は、記録媒体の不正解の解答情報が記載された領域を空欄の状態にして正解の解答情報が記載された領域と異なる画像を形成する。【選択図】図２
2019023673.tif 000002
【特許請求の範囲】
【請求項１】
解答欄を有する記録媒体を読み取って前記記録媒体から解答情報を取得する取得手段と、
前記取得手段で取得した前記記録媒体に記載された正解の前記解答情報と不正解の前記解答情報とを用いて、前記記録媒体に前記正解の解答情報が記載された領域と前記不正解の解答情報が記載された領域に形成する画像を異なるようにする画像形成手段と、を備えた、
ことを特徴とする自動採点装置。
【請求項２】
前記画像形成手段は、前記記録媒体の前記正解の解答情報が記載された領域に正解を表す判定マークを追い刷り印刷し、前記不正解の解答情報が記載された領域には判定マークを追い刷り印刷しない、
ことを特徴とする請求項１に記載の自動採点装置。
【請求項３】
前記画像形成手段は、前記記録媒体の前記正解の解答情報が記載された領域に正解を表す判定マークを追い刷り印刷し、前記不正解の解答情報が記載された領域には不正解の判定マークを追い刷り印刷する、
ことを特徴とする請求項１に記載の自動採点装置。
【請求項４】
前記画像形成手段は、前記記録媒体の前記不正解の解答情報が記載された領域を前記記録媒体の地色と同じ色で塗りつぶすようにして前記正解の解答情報が記載された領域と異なる画像を形成にする、
ことを特徴とする請求項１に記載の自動採点装置。
【請求項５】
前記画像形成手段は、前記記録媒体から読み取った前記解答情報に前記記録媒体の不正解の解答情報が記載された領域を空欄の状態にした解答情報を付加して新たな記録媒体に印刷する、
ことを特徴とする請求項１に記載の自動採点装置。
【請求項６】
前記画像形成手段は、前記記録媒体の不正解の解答情報が記載された領域を白塗りするように印刷して前記不正解の解答情報が記載された領域を空欄の状態にする、
ことを特徴とする請求項５に記載の自動採点装置。
【請求項７】
前記画像形成手段は、前記記録媒体から最初に前記解答情報を取得した後、前記記録媒体に前記解答情報を印刷する際に学習者ごとに設定された識別用画像を追い刷り印刷する、
ことを特徴とする請求項１ないし６のいずれか１項に記載の自動採点装置。
【請求項８】
前記識別画像は二次元コードパターンである、
ことを特徴とする請求項７に記載の自動採点装置。
【請求項９】
前記画像入力手段は、前記二次元コードパターンを読み取った場合、前回読み取った正解の解答情報が記載された領域の文字認識処理を行わない、
ことを特徴とする請求項８に記載の自動採点装置。
【請求項１０】
前記画像形成手段は、前記記録媒体を再度読み取りした場合、前記記録媒体に印刷された前回の点数に取り消し線を重ねて印刷し、前記前回の点数が印刷された領域の近傍に再採点した今回の点数を追い刷り印刷する、
ことを特徴とする請求項１ないし９のいずれか１項に記載の自動採点装置。
【請求項１１】
前記画像形成手段は、採点結果が満点の場合、満点未満の場合に比べて、点数を大きく追い刷り印刷する、
ことを特徴とする請求項１０に記載の自動採点装置。
【請求項１２】
前記画像形成手段は、採点結果が前回の採点よりも向上した場合、前回に比べて、点数をより大きく追い刷り印刷する、
ことを特徴とする請求項１０に記載の自動採点装置。
【請求項１３】
前記画像形成手段は、前記記録媒体を再採点した場合、正解を表す判定マーク、不正解を表す判定マーク及び点数を、前回と異なる色で追い刷り印刷する、
ことを特徴とする請求項１ないし１２のいずれか１項に記載の自動採点装置。
【請求項１４】
前記記録媒体は、採点結果を印刷する位置と範囲を画定する枠が記録されている、
ことを特徴とする請求項１ないし１３のいずれか１項に記載の自動採点装置。
【請求項１５】
前記枠は、不可視の色材で形成されている、
ことを特徴とする請求項１４に記載の自動採点装置。
【請求項１６】
前記枠は、使用者所持の蛍光ペンで塗られた蛍光色の領域を含む前記記録媒体の画像を読み取ることにより記録されている、
ことを特徴とする請求項１４に記載の自動採点装置。
【請求項１７】
前記解答情報が記載される領域には、前記解答情報の属性を示す属性情報が記録されている、
ことを特徴とする請求項１ないし１６のいずれか１項に記載の自動採点装置。
【請求項１８】
前記記録媒体は、前記画像形成手段が備える記録手段に登録されて記録されている、
ことを特徴とする請求項１４ないし１７のいずれか１項に記載の自動採点装置。
【請求項１９】
前記解答情報が記載される領域を空欄にした前記記録媒体と、前記解答情報が記載される領域に正答が記載された前記記録媒体と、を画像読み取りして取得したそれぞれの画像データの差分を抽出して正答情報として保持する、
ことを特徴とする請求項１８に記載の自動採点装置。
【請求項２０】
前記画像形成手段は、今回の採点が満点でなかった場合、新たな記録媒体を印刷する、
ことを特徴とする請求項１ないし１９のいずれか１項に記載の自動採点装置。
【請求項２１】
前記画像形成手段は、前記取得手段で取得した前記解答情報が正解か否か判別されない場合、前記解答情報を採点者へ送信し、前記採点者が採点した前記解答情報を取得して採点結果を前記記憶媒体に追い刷り印刷する、
ことを特徴とする請求項１ないし２０のいずれか１項に記載の自動採点装置。
【請求項２２】
前記画像形成手段は、前記取得手段で取得した前記解答情報に前記解答情報の特定の領域を指示するオブジェクト画像を付加して送信する、
ことを特徴とする請求項２１に記載の自動採点装置。
【請求項２３】
前記記録媒体は、画像データとして登録されている、
ことを特徴とする請求項１ないし２２のいずれか１項に記載の自動採点装置。
【請求項２４】
前記記録媒体を装置本体外に排出する排出経路と、
前記排出経路上で前記記録媒体を反転して両面搬送経路に前記記録媒体の進行方向を切り替える反転搬送手段と、
前記両面搬送経路で前期記録媒体を一旦停止させるともにスタート信号により前記記録媒体を前記画像形成手段に向かって搬送する搬送制御手段と、を備え、
前記取得手段は、前記排出経路上で前記両面搬送経路の上流側に配置されている、
ことを特徴とする請求項１ないし２３のいずれか１項に記載の自動採点装置。
【請求項２５】
前記排出経路及び前記両面搬送経路は、それぞれの搬送経路を露出するように開放可能に設けられている、
ことを特徴とする請求項２４に記載の自動採点装置。
【請求項２６】
前記記録媒体を装置本体内に搬送する搬送経路と、
前記搬送経路上で前記記録媒体を反転して両面搬送経路に前記記録媒体の進行方向を切り替える反転搬送手段と、
前記両面搬送経路で前記記録媒体を反転して装置本体外に排出する排出経路と、
前記両面搬送経路で前記記録媒体を一旦停止させるともにスタート信号により前記記録媒体を前記画像形成手段に向かって搬送する搬送制御手段と、を備え、
前記取得手段は、前記排出経路上で前記両面搬送経路の上流側に配置されている、
ことを特徴とする請求項１ないし２３のいずれか１項に記載の自動採点装置。
【請求項２７】
前記排出経路及び前記両面搬送経路は、装置本体外に引き出し可能に設けられている、
ことを特徴とする請求項２６に記載の自動採点装置。
【請求項２８】
前記記録媒体を装置本体内に搬送する搬送経路と、
前記搬送経路上で前記記録媒体を反転して前記記録媒体の進行方向を切り替える反転搬送手段と、
前記搬送経路で前記記録媒体を一旦停止させるともにスタート信号により前記記録媒体を前記画像形成手段に向かって搬送する搬送制御手段と、を備え、
前記取得手段は、前記搬送経路上で前記画像形成手段の下流側に配置されている、
ことを特徴とする請求項１ないし２３のいずれか１項に記載の自動採点装置。
【請求項２９】
前記排出経路は、搬送経路を露出するように開放可能に設けられている、
ことを特徴とする請求項２８に記載の自動採点装置。
【請求項３０】
前記取得手段で前記記録媒体の読み取りができない場合、前記記録媒体を前記排出経路に排出する、
ことを特徴とする請求項２１ないし２９のいずれか１項に記載の自動採点装置。
【請求項３１】
前記搬送制御手段は、前記取得手段により取得された解答情報の採点が終了するまで、前記記録媒体を、他の印刷が行われる前記搬送経路を阻害しない場所に位置させる、
ことを特徴とする請求項２１ないし３０のいずれか１項に記載の自動採点装置。
【請求項３２】
前記画像入力手段は、複数のイメージセンサ素子群を前記記録媒体の搬送方向と交差する方向にライン上に配置したコンタクトイメージセンサである、
ことを特徴とする請求項２１ないし３１のいずれか１項に記載の自動採点装置。
【請求項３３】
前記記録媒体は、問題と解答情報を記載する解答欄が設けられたテスト教材である、
ことを特徴とする請求項１ないし３２のいずれか１項に記載の自動採点装置。
【請求項３４】
登録されたテスト教材の画像データを保持する画像データ記憶手段と、
前記画像データを取得して前記テスト教材を印刷する第１画像形成手段と、
前記テスト教材を読み取って前記テスト教材から解答情報を取得する取得手段と、
前記取得手段で取得した前記テスト教材に記載された正解の前記解答情報と不正解の前記解答情報とを用いて、前記テスト教材に前記正解の解答情報が記載された領域と前記不正解の解答情報が記載された領域に形成する画像を異なるように追い刷り印刷する第２画像形成手段と、を備えた、
ことを特徴とする自動採点システム。
【発明の詳細な説明】
【技術分野】
【０００１】
本発明は、自動採点装置及び自動採点システムに関する。
【背景技術】
【０００２】
複数の問題と、これら複数の問題に対応する複数の解答欄と、これら複数の解答欄に記入された解答が正解か否かを示す正誤判定マークとを含むテスト教材を取り扱う教材処理装置の構成として、テスト教材の画像データを入力する画像入力部と、画像入力部によって入力されたテスト教材の画像データの中で、正誤判定マークで不正解とされた解答欄の位置を特定するとともに、当該位置の特定がなされた不正解の解答欄に対応する問題を含むテスト教材の画像データを、当該不正解の解答欄を空欄の状態にして生成する処理を行う画像処理部と、この画像処理部で生成されたテスト教材の画像データを印刷出力する印刷部とを備える教材処理装置が知られている（特許文献１）
【０００３】
原稿を載置する原稿トレイと、原稿トレイに載置された原稿の画像情報を読み取るためのスキャナと、用紙に画像形成する画像形成部と、を備える画像形成装置であって、原稿トレイに用紙が載置された場合に当該用紙を画像形成部まで搬送する搬送路と、用紙が搬送路を搬送される過程においてスキャナを動作させて用紙の情報を読み取る状態情報読取手段と、状態情報読取手段により読み取られた用紙情報に基づいて、用紙の質を判断する用紙質判断手段と、用紙質判断手段により判断された用紙の質に応じた動作を、用紙が搬送路を搬送されて画像形成部に到達する前に実行する動作実行手段と、を備える画像形成装置も知られている（特許文献２）。
【先行技術文献】
【特許文献】
【０００４】
【特許文献１】特開２００７−０４１１７７号公報
【特許文献２】特開２０１６−１２６０８４号公報
【発明の概要】
【発明が解決しようとする課題】
【０００５】
本発明は、解答内容に応じて対応を変える自動採点装置及び自動採点システムを提供する。
【課題を解決するための手段】
【０００６】
前記課題を解決するために、請求項１に記載の自動採点装置は、
解答欄を有する記録媒体を読み取って前記記録媒体から解答情報を取得する取得手段と、
前記取得手段で取得した前記記録媒体に記載された正解の前記解答情報と不正解の前記解答情報とを用いて、前記記録媒体に前記正解の解答情報が記載された領域と前記不正解の解答情報が記載された領域に形成する画像を異なるようにする画像形成手段と、を備えた、
ことを特徴とする。
【０００７】
請求項２記載の発明は、請求項１に記載の自動採点装置において、
前記画像形成手段は、前記記録媒体の前記正解の解答情報が記載された領域に正解を表す判定マークを追い刷り印刷し、前記不正解の解答情報が記載された領域には判定マークを追い刷り印刷しない、
ことを特徴とする請求項１に記載の自動採点装置。
【０００８】
請求項３記載の発明は、請求項１に記載の自動採点装置において、
前記画像形成手段は、前記記録媒体の前記正解の解答情報が記載された領域に正解を表す判定マークを追い刷り印刷し、前記不正解の解答情報が記載された領域には不正解の判定マークを追い刷り印刷する、
ことを特徴とする。
【０００９】
請求項４記載の発明は、請求項１に記載の自動採点装置において、
前記画像形成手段は、前記記録媒体の前記不正解の解答情報が記載された領域を前記記録媒体の地色と同じ色で塗りつぶすようにして前記正解の解答情報が記載された領域と異なる画像を形成にする、
ことを特徴とする。
【００１０】
請求項５記載の発明は、請求項１に記載の自動採点装置において、
前記画像形成手段は、前記記録媒体から読み取った前記解答情報に前記記録媒体の不正解の解答情報が記載された領域を空欄の状態にした解答情報を付加して新たな記録媒体に印刷する、
ことを特徴とする。
【００１１】
請求項６記載の発明は、請求項５に記載の自動採点装置において、
前記画像形成手段は、前記記録媒体の不正解の解答情報が記載された領域を白塗りするように印刷して前記不正解の解答情報が記載された領域を空欄の状態にする、
ことを特徴とする。
【００１２】
請求項７記載の発明は、請求項１ないし６のいずれか１項に記載の自動採点装置において、
前記画像形成手段は、前記記録媒体から最初に前記解答情報を取得した後、前記記録媒体に前記解答情報を印刷する際に学習者ごとに設定された識別用画像を追い刷り印刷する、
ことを特徴とする。
【００１３】
請求項８記載の発明は、請求項７に記載の自動採点装置において、
前記識別画像は二次元コードパターンである、
ことを特徴とする。
【００１４】
請求項９記載の発明は、請求項８に記載の自動採点装置において、
前記画像入力手段は、前記二次元コードパターンを読み取った場合、前回読み取った正解の解答情報が記載された領域の文字認識処理を行わない、
ことを特徴とする。
【００１５】
請求項１０記載の発明は、請求項１ないし９のいずれか１項に記載の自動採点装置において、
前記画像形成手段は、前記記録媒体を再度読み取りした場合、前記記録媒体に印刷された前回の点数に取り消し線を重ねて印刷し、前記前回の点数が印刷された領域の近傍に再採点した今回の点数を追い刷り印刷する、
ことを特徴とする。
【００１６】
請求項１１記載の発明は、請求項１０に記載の自動採点装置において、
前記画像形成手段は、採点結果が満点の場合、満点未満の場合に比べて、点数を大きく追い刷り印刷する、
ことを特徴とする。
【００１７】
請求項１２記載の発明は、請求項１０に記載の自動採点装置において、
前記画像形成手段は、採点結果が前回の採点よりも向上した場合、前回に比べて、点数をより大きく追い刷り印刷する、
ことを特徴とする。
【００１８】
請求項１３記載の発明は、請求項１ないし１２のいずれか１項に記載の自動採点装置において、
前記画像形成手段は、前記記録媒体を再採点した場合、正解を表す判定マーク、不正解を表す判定マーク及び点数を、前回と異なる色で追い刷り印刷する、
ことを特徴とする。
【００１９】
請求項１４記載の発明は、請求項１ないし１３のいずれか１項に記載の自動採点装置において、
前記記録媒体は、採点結果を印刷する位置と範囲を画定する枠が記録されている、
ことを特徴とする。
【００２０】
請求項１５記載の発明は、請求項１４に記載の自動採点装置において、
前記枠は、不可視の色材で形成されている、
ことを特徴とする。
【００２１】
請求項１６記載の発明は、請求項１４に記載の自動採点装置において、
前記枠は、使用者所持の蛍光ペンで塗られた蛍光色の領域を含む前記記録媒体の画像を読み取ることにより記録されている、
ことを特徴とする。
【００２２】
請求項１７記載の発明は、請求項１ないし１６のいずれか１項に記載の自動採点装置において、
前記解答情報が記載される領域には、前記解答情報の属性を示す属性情報が記録されている、
ことを特徴とする。
【００２３】
請求項１８記載の発明は、請求項１４ないし１７のいずれか１項に記載の自動採点装置において、
前記記録媒体は、前記画像形成手段が備える記録手段に登録されて記録されている、
ことを特徴とする。
【００２４】
請求項１９記載の発明は、請求項１８に記載の自動採点装置において、
前記解答情報が記載される領域を空欄にした前記記録媒体と、前記解答情報が記載される領域に正答が記載された前記記録媒体と、を画像読み取りして取得したそれぞれの画像データの差分を抽出して正答情報として保持する、
ことを特徴とする。
【００２５】
請求項２０記載の発明は、請求項１ないし１９のいずれか１項に記載の自動採点装置において、
前記画像形成手段は、今回の採点が満点でなかった場合、新たな記録媒体を印刷する、
ことを特徴とする。
【００２６】
請求項２１記載の発明は、請求項１ないし２０のいずれか１項に記載の自動採点装置において、
前記画像形成手段は、前記取得手段で取得した前記解答情報が正解か否か判別されない場合、前記解答情報を採点者へ送信し、前記採点者が採点した前記解答情報を取得して採点結果を前記記憶媒体に追い刷り印刷する、
ことを特徴とする。
【００２７】
請求項２２記載の発明は、請求項２１に記載の自動採点装置において、
前記画像形成手段は、前記取得手段で取得した前記解答情報に前記解答情報の特定の領域を指示するオブジェクト画像を付加して送信する、
ことを特徴とする。
【００２８】
請求項２３記載の発明は、請求項１ないし２２のいずれか１項に記載の自動採点装置において、
前記記録媒体は、画像データとして登録されている、
ことを特徴とする。
【００２９】
請求項２４記載の発明は、請求項１ないし２３のいずれか１項に記載の自動採点装置において、
前記記録媒体を装置本体外に排出する排出経路と、
前記排出経路上で前記記録媒体を反転して両面搬送経路に前記記録媒体の進行方向を切り替える反転搬送手段と、
前記両面搬送経路で前期記録媒体を一旦停止させるともにスタート信号により前記記録媒体を前記画像形成手段に向かって搬送する搬送制御手段と、を備え、
前記取得手段は、前記排出経路上で前記両面搬送経路の上流側に配置されている、
ことを特徴とする。
【００３０】
請求項２５記載の発明は、請求項２４に記載の自動採点装置において、
前記排出経路及び前記両面搬送経路は、それぞれの搬送経路を露出するように開放可能に設けられている、
ことを特徴とする。
【００３１】
請求項２６記載の発明は、請求項１ないし２３のいずれか１項に記載の自動採点装置において、
前記記録媒体を装置本体内に搬送する搬送経路と、
前記搬送経路上で前記記録媒体を反転して両面搬送経路に前記記録媒体の進行方向を切り替える反転搬送手段と、
前記両面搬送経路で前記記録媒体を反転して装置本体外に排出する排出経路と、
前記両面搬送経路で前記記録媒体を一旦停止させるともにスタート信号により前記記録媒体を前記画像形成手段に向かって搬送する搬送制御手段と、を備え、
前記取得手段は、前記排出経路上で前記両面搬送経路の上流側に配置されている、
ことを特徴とする。
【００３２】
請求項２７記載の発明は、請求項２６に記載の自動採点装置において、
前記排出経路及び前記両面搬送経路は、装置本体外に引き出し可能に設けられている、
ことを特徴とする。
【００３３】
請求項２８記載の発明は、請求項１ないし２３のいずれか１項に記載の自動採点装置において、
前記記録媒体を装置本体内に搬送する搬送経路と、
前記搬送経路上で前記記録媒体を反転して前記記録媒体の進行方向を切り替える反転搬送手段と、
前記搬送経路で前記記録媒体を一旦停止させるともにスタート信号により前記記録媒体を前記画像形成手段に向かって搬送する搬送制御手段と、を備え、
前記取得手段は、前記搬送経路上で前記画像形成手段の下流側に配置されている、
ことを特徴とする。
【００３４】
請求項２９記載の発明は、請求項２８に記載の自動採点装置において、
前記排出経路は、搬送経路を露出するように開放可能に設けられている、
ことを特徴とする。
【００３５】
請求項３０記載の発明は、請求項２１ないし２９のいずれか１項に記載の自動採点装置において、
前記取得手段で前記記録媒体の読み取りができない場合、前記記録媒体を前記排出経路に排出する、
ことを特徴とする。
【００３６】
請求項３１記載の発明は、請求項２１ないし３０のいずれか１項に記載の自動採点装置において、
前記搬送制御手段は、前記取得手段により取得された解答情報の採点が終了するまで、前記記録媒体を、他の印刷が行われる前記搬送経路を阻害しない場所に位置させる、
ことを特徴とする。
【００３７】
請求項３２記載の発明は、請求２１ないし３２のいずれか１項に記載の自動採点装置において、
前記画像入力手段は、複数のイメージセンサ素子群を前記記録媒体の搬送方向と交差する方向にライン上に配置したコンタクトイメージセンサである、
ことを特徴とする。
【００３８】
請求項３３記載の発明は、請求項１ないし３２のいずれか１項に記載の自動採点装置において、
前記記録媒体は、問題と解答情報を記載する解答欄が設けられたテスト教材である、
ことを特徴とする。
【００３９】
前記課題を解決するために、請求項３４に記載の自動採点システムは、
登録されたテスト教材の画像データを保持する画像データ記憶手段と、
前記画像データを取得して前記テスト教材を印刷する第１画像形成手段と、
前記テスト教材を読み取って前記テスト教材から解答情報を取得する取得手段と、
前記取得手段で取得した前記テスト教材に記載された正解の前記解答情報と不正解の前記解答情報とを用いて、前記テスト教材に前記正解の解答情報が記載された領域と前記不正解の解答情報が記載された領域に形成する画像を異なるように追い刷り印刷する第２画像形成手段と、を備えた、
ことを特徴とする。
【発明の効果】
【００４０】
請求項１に記載の発明によれば、解答内容に応じて対応を変える、自動採点装置及び自動採点システムを提供することができる。
【００４１】
請求項２、３に記載の発明によれば、答案用紙の不正解の解答情報が記載された領域を空欄の状態にして、当該答案用紙を使って再テストを行えるようにすることができる。
【００４２】
請求項４に記載の発明によれば、答案用紙の地色に合わせて不正解の解答欄を空欄にして、当該答案用紙を使って再テストを行えるようにすることができる。
【００４３】
請求項５、６に記載の発明によれば、答案用紙が毀損した場合に、不正解の解答欄を空欄にして、再テストを行えるようにすることができる。
【００４４】
請求項６、７、８に記載の発明によれば、学習者ごとにこれまでの採点結果を管理することができる。
【００４５】
請求項９に記載の発明によれば、採点の精度を向上させることができる。
【００４６】
請求項１０、１１、１２に記載の発明によれば、学習者の学習意欲を向上させる情報を提供することができる。
【００４７】
請求項１３に記載の発明によれば、学習者の学習効果を向上させる情報を提供することができる。
【００４８】
請求項１４に記載の発明によれば、採点結果を表示する領域を予め指定することができる。
【００４９】
請求項１５に記載の発明によれば、学習者に不要な情報を隠蔽することができる。
【００５０】
請求項１６に記載の発明によれば、テスト教材の使用者が採点結果を表示する領域を予め設定することができる。
【００５１】
請求項１７に記載の発明によれば、解答欄に記入された文字の認識率を向上させることができる。
【００５２】
請求項１８、２３に記載の発明によれば、必要に応じてテスト教材を使用者に提供することができる。
【００５３】
請求項１９に記載の発明によれば、テスト教材の採点精度を向上させることができる。
【００５４】
請求項２０に記載の発明によれば、追加テスト教材を提供することができる。
【００５５】
請求項２１、２２に記載の発明によれば、採点の精度と効率を向上させることができる。
【００５６】
請求項２４、２６、２８、３２に記載の発明によれば、安価な構成でテスト教材を両面で読み取って、当該テスト教材に採点結果を追い刷り印刷することができる。
【００５７】
請求項２５に記載の発明によれば、排出経路及び両面搬送経路が搬送経路を露出するように開放可能でない構成に比べて、紙詰まりしたテスト教材を容易に取り除くことができる。
【００５８】
請求項２７に記載の発明によれば、排出経路及び両面搬送経路が、装置本体外に引き出し可能に設けられていない構成に比べて、紙詰まりしたテスト教材を容易に取り除くことができる。
【００５９】
請求項２９に記載の発明によれば、排出経路が、搬送経路を露出するように開放可能でない構成に比べて、紙詰まりしたテスト教材を容易に取り除くことができる。
【００６０】
請求項３０に記載の発明によれば、テスト教材の紙詰まりや画像形成手段へのダメージを未然に防止することができる。
【００６１】
請求項３１に記載の発明によれば、テスト教材の採点処理中に、他の印刷ジョブを処理することができる。
【００６２】
請求項３３に記載の発明によれば、テスト教材を使用して学習を行う学習者の自動採点を行い、当該テスト教材を使用して間違い直しができるように再テストを行うことができる。
【００６３】
請求項３４に記載の発明によれば、テスト教材の登録、テスト教材を使用したテスト、テスト教材の自動採点を一連のワークフローとして実現することができる。
【図面の簡単な説明】
【００６４】
【図１】自動採点装置の内部構成を示す断面模式図である。
【図２】自動採点装置の機能構成の一例を示すブロック図である。
【図３】自動採点装置の動作の流れを示すフローチャートである。
【図４】自動採点装置の動作の流れを説明する断面模式図である。
【図５】画像読み取りが正常に行われない場合の動作を説明する断面模式図である。
【図６】用紙詰まり時の用紙除去を説明する断面模式図である。
【図７】変形例１に係る自動採点装置の内部構成を示す断面模式図である。
【図８】変形例１に自動採点装置の動作の流れを示すフローチャートである。
【図９】変形例１に係る自動採点装置の動作の流れを説明する断面模式図である。
【図１０】変形例１に係る自動採点装置において画像読み取りが正常に行われない場合の動作を説明する断面模式図である。
【図１１】変形例１に係る自動採点装置において用紙詰まり時の用紙除去を説明する断面模式図である。
【図１２】（ａ）は変形例２に係る自動採点装置の内部構成を示す断面模式図、（ｂ）は変形例２に係る自動採点装置における用紙詰まり時の用紙除去を説明する断面模式図である。
【図１３】変形例２に係る自動採点装置の動作の流れを説明する断面模式図である。
【図１４】（ａ）は変形例２に係る自動採点装置において画像読み取りが正常に行われない場合の動作を説明する断面模式図、（ｂ）は追加問題印刷時の用紙の搬送を示す断面模式図である。
【図１５】テスト教材の具体的な一例を示す概略図である。
【図１６】データベース部に登録されるテスト教材の例を示す概略図である。
【図１７】テスト教材の他の例を示すが概略図である。
【図１８】画像処理部の内部構成を示すブロック図である。
【図１９】再テスト用に採点結果が追い刷り印刷されたテスト教材の具体的な一例を示す概略図である。
【図２０】再テスト用に不正解の解答欄が白塗りされたテスト教材の具体的な例を示す概略図である。
【図２１】再テスト用に採点結果が追い刷り印刷されたテスト教材の具体的な例を示す概略図である。
【発明を実施するための形態】
【００６５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００６６】
（１）自動採点装置の全体構成及び動作
図１は本実施形態に係る自動採点装置の内部構成を示す断面模式図、図２は自動採点装置の機能構成の一例を示すブロック図、図３は自動採点装置の動作の流れを示すフローチャート、図４は自動採点装置の動作の流れを説明する断面模式図、図５は画像読み取りが正常に行われない場合の動作を説明する断面模式図、図６は用紙詰まり時の用紙除去を説明する断面模式図である。
以下、図面を参照しながら、自動採点装置１の全体構成、機能構成及び動作を説明する。
【００６７】
（１．１）自動採点装置の全体構成
自動採点装置１は、画像形成部１０と、画像形成部１０の下部に装着された給紙装置２０と、画像形成部１０の上部に装着された読取装置３０と、操作表示部４０と、画像処理部５０と、システム制御装置６０と、を備えて構成され、学習者によって解答欄に解答が記入された記録媒体の一例としてのテスト教材７０を読み取って採点を行い、採点結果を読み取ったテスト教材７０に追い刷り印刷する自動採点機能を有している。
また、使用者が作成するテスト教材７０を登録して保持するとともに、登録されたテスト教材７０を印刷する印刷機能も有している。
【００６８】
画像形成部１０は、露光装置１２、感光体ユニット１３、現像装置１４、転写装置１５、定着装置１６を備えて構成され、画像処理部５０から受け取った画像情報を読み取ったテスト教材７０上に追い刷り印刷する。また、給紙装置２０から送り込まれた用紙Ｐ上に画像処理部５０から受け取った画像情報をトナー像として形成する。
【００６９】
画像形成部１０の底部には給紙装置２０が設けられ、用紙トレイ２１から繰り出された用紙Ｐをレジストローラ対２２で整列させて画像形成部１０の転写装置１５に向かって給送する。画像形成部１０の左側には、手差し給紙装置２３が設けられ、不定サイズの用紙、長尺用紙、厚紙等の用紙供給を行う。テスト教材７０のサイズが定形サイズでない場合には、手差し給紙装置２３から用紙供給を行う。
【００７０】
画像形成部１０の上部には、画像形成された用紙Ｐを装置上面である排出トレイ部Ｔ１へ導く用紙搬送路２５と、画像形成された用紙Ｐを排出トレイＴ２へ導く用紙搬送路２６と、印刷された用紙Ｐを反転させて両面搬送路２７に向かって用紙Ｐの進行方向を切り替える反転ローラ２８が配置されている。
【００７１】
両面搬送路２７の上方には、トレイＴ０と、送り出しローラ３１、レジストローラ対３２、複数のイメージセンサ素子群を用紙Ｐの搬送方向と交差する方向にライン上に配置したコンタクト・イメージ・センサ（以下、ＣＩＳと記す）３３からなる取得手段の一例としての読取装置３０が配置されている。読取装置３０は、トレイＴ０上に載置されたテスト教材７０をレジストローラ対３２で整列させてＣＩＳ３３の読取面に密着させながら搬送してテスト教材７０の画像読み取りを行う。
【００７２】
操作表示部４０は、いわゆるユーザーインターフェースに相当するもので、液晶表示パネル、各種操作ボタン、タッチパネル等を組み合わせて構成され各種の設定や指示の入力及び情報表示に用いられる。
【００７３】
画像処理部５０は、外部機器８２（図２に図示：例えばパーソナルコンピュータ等）から送信された印刷情報から画像データを生成するとともに、読取装置３０によって入力されたテスト教材７０の画像データを用いて種々の画像処理を行う。
【００７４】
（１．２）自動採点装置の動作
このような構成の自動採点装置１では、テスト教材７０をトレイＴ０の上に置いて、操作表示部４０のスタートボタンを押すと送り出しローラ３１が降下して（図４（ａ）中  矢印２参照）テスト教材７０を停止した状態のレジストローラ対３２に向かって送り出す。そして、テスト教材７０はレジストローラ対３２でループを形成した後、レジストローラ対３２が回転を開始して、ＣＩＳ３３に送り出される。
【００７５】
ＣＩＳ３３は、通過するテスト教材７０の表面を読み取り、正転する反転ローラ２８で排出トレイＴ２上に向かって搬送する（Ｓ１０１：図４（ａ）中  矢印３参照）。ＣＩＳ３３で読み取られた画像データは後述する画像処理部５０で文字認識（ＯＣＲ：Ｏｐｔｉｃａｌ  Ｃｈａｒａｃｔｅｒ  Ｒｅｃｏｇｎｉｔｉｏｎ）処理される。
【００７６】
ＣＩＳ３３でテスト教材７０を読み取りした時点で、画像読み取りが正常か否か判断される（Ｓ１０２）。画像が正常に読み取られた場合（Ｓ１０２：Ｙｅｓ）、反転ローラ２８を反転させてテスト教材７０を両面搬送路２７に向かって送り出す（Ｓ１０３：図４（ｂ）中  矢印４参照）。テスト教材７０は、両面搬送路２７を画像形成部１０の転写装置１５に向かって搬送され、テスト教材７０の先端がレジストローラ対２２に到達した時点で搬送を一旦停止して、両面搬送路２７内で、画像処理部５０での採点処理が終了するまで待機する（Ｓ１０４：図４（ｃ）中  矢印５参照）。
【００７７】
画像処理部５０での採点処理が終了すると（Ｓ１０５：Ｙｅｓ）、レジストローラ対２２の回転が開始され、テスト教材７０は転写装置１５に向かって搬送され（Ｓ１０６）、採点結果が追い刷り印刷されて排出トレイ部Ｔ１上に排出される（Ｓ１０７：図４（ｄ）中  矢印６参照）。
【００７８】
ＣＩＳ３３での画像読み取りが正常に行われなかった場合（Ｓ１０２：Ｎｏ）、テスト教材７０に用紙ダメージがあるか否か判断される（Ｓ１０８）。用紙ダメージがない場合（Ｓ１０８：Ｎｏ）は、テスト教材７０を両面搬送路２７及び用紙搬送路２６を経由して排出トレイＴ２に向かって送り出し（Ｓ１０９：図５（ａ）中  矢印７参照）、再度反転ローラ２８を反転させて両面搬送路２７に向かって送り出すことによってテスト教材７０の裏面の画像読み取りを行う（Ｓ１１０：図５（ｂ）中  矢印８参照））。
そして、テスト教材７０は、両面搬送路２７を画像形成部１０の転写装置１５に向かって搬送され、両面搬送路２７内で、画像処理部５０での採点処理が終了するまで待機する（Ｓ１０４：図４（ｃ）中  矢印５参照）。
【００７９】
テスト教材７０に用紙ダメージがある場合（Ｓ１０８：Ｙｅｓ）は、反転ローラ２８を正転させてテスト教材７０を、排出トレイＴ２にエラー排出する（Ｓ１１１：図５（ｃ）  矢印９参照）。
【００８０】
このような自動採点装置１においては、学習者がテストで使用したテスト教材７０（答案用紙）を搬送するために、通常の用紙Ｐを搬送する場合に比べて、用紙詰まり（ジャム）が発生しやすい虞がある。
用紙詰まり（ジャム）が発生した場合には、図６に示すように、読取装置３０のＣＩＳ３３を含む上部３０ａを開放して、ジャム除去することができる。
また、両面搬送路２７、転写装置１５から排出トレイ部Ｔ１までの搬送路、用紙搬送路２６から排出トレイＴ２までの搬送路で用紙詰まり（ジャム）が発生した場合には、図６に示すように、両面搬送路２７を開放して、ジャム除去することができる。
【００８１】
「変形例１」
図７は変形例１に係る自動採点装置１Ａの内部構成を示す断面模式図、図８は自動採点装置１Ａの動作の流れを説明する断面模式図、図９は画像読み取りが正常に行われない場合の動作を説明する断面模式図、図１０は用紙詰まり時の用紙除去を説明する断面模式図である。
【００８２】
自動採点装置１Ａは、画像形成部１０Ａと、画像形成部１０の下部に装着された給紙装置２０Ａと、給紙装置２０Ａの下部に装着された読取装置３０Ａと、操作表示部４０（付図視）と、画像処理部５０と、システム制御装置６０と、を備えて構成され、学習者によって解答欄に解答が記入されたテスト教材７０を読み取って採点を行い、採点結果を読み取ったテスト教材７０に追い刷り印刷する自動採点機能を有している。
また、使用者が作成するテスト教材７０を登録して保持するとともに、登録されたテスト教材７０を印刷する印刷機能も有している。
【００８３】
読取装置３０Ａは、トレイＴ０と、送り出しローラ３１、レジストローラ対３２、コンタクト・イメージ・センサ（以下、ＣＩＳと記す）３３、第１搬送ローラ対３４、第２搬送ローラ対３５、両面搬送路３６、用紙排出口３７、第１切替ゲートＧ１、第２切替ゲートＧ２から構成されている。
読取装置３０Ａは、トレイＴ０上に載置されたテスト教材７０をレジストローラ対３２で整列させてＣＩＳ３３の読取面に密着させながら搬送してテスト教材７０の画像読み取りを行う。
【００８４】
このような構成の自動採点装置１Ａでは、テスト教材７０をトレイＴ０の上に置いて、操作表示部４０のスタートボタンを押すと送り出しローラ３１が降下して（図７（ａ）中  矢印２参照）テスト教材７０を停止した状態のレジストローラ対３２に向かって送り出す。そして、テスト教材７０はレジストローラ対３２でループを形成した後、レジストローラ対３２が回転を開始して、ＣＩＳ３３に送り出される。
【００８５】
ＣＩＳ３３は通過するテスト教材７０の表面を読み取り（Ｓ２０１：図７（ａ）中  矢印３参照）、画像読み取りが正常か否か判断される（Ｓ２０２）。画像が正常に読み取られた場合（Ｓ２０２：Ｙｅｓ）、テスト教材７０の後端が第１切替ゲートＧ１を通過した時点で第１切替ゲートＧ１を両面搬送路３６方向に切り替えて第１搬送ローラ対３４を反転させる（Ｓ２０３）。
第１搬送ローラ対３４は、テスト教材７０を両面搬送路３６内に送り込み、テスト教材７０がレジストローラ対３２に到達した時点で搬送を一旦停止して、両面搬送路３６内で、画像処理部５０での採点処理が終了するまで待機する（Ｓ２０４：図７（ｂ）中  矢印４参照）。
【００８６】
画像処理部５０での採点処理が終了する（Ｓ２０５：Ｙｗｓ）と、テスト教材７０を再度ＣＩＳ３３に向かって送り出し（Ｓ２０６）、テスト教材７０の裏面の画像読み取りを行う（Ｓ２０７）。そして、テスト教材７０の後端がＣＩＳ３３を抜けた時点で搬送を一旦停止して、画像処理部５０での裏面の採点処理が終了するまで待機する（Ｓ２０８：図７（ｃ）中  矢印５参照）。
【００８７】
画像処理部５０での採点処理が終了する（Ｓ２０９：Ｙｅｓ）と、レジストローラ対２２の回転が開始され、テスト教材７０は転写装置１５に向かって搬送され、最初に裏面の採点結果が追い刷り印刷される（Ｓ２１０：図７（ｄ）中  矢印６参照）。そして、裏面が追い刷り印刷されたテスト教材７０は両面搬送路２７で反転されて（図７（ｄ）中  矢印７参照）、転写装置１５で表面の採点結果が追い刷り印刷される（Ｓ２１１）。
【００８８】
ＣＩＳ３３での画像読み取りが正常に行われなかった場合（Ｓ２０２：Ｎｏ）、第２切替ゲートＧ２を用紙排出口３７方向に切り替えて（Ｓ２１２）、第１搬送ローラ対３４を逆転させて、テスト教材７０を用紙排出口３７へ向かって排出する（Ｓ２１４：図１０中  矢印８参照）。
【００８９】
用紙詰まり（ジャム）が発生した場合には、図１１に示すように、読取装置３０ＡのＣＩＳ３３を除く搬送路全体を装置本体から装置外に引き出した状態で必要に応じて両面搬送路３６を上方に開放して、ジャム除去することができる。
また、両面搬送路２７、転写装置１５から排出トレイ部Ｔ１までの搬送路で用紙詰まり（ジャム）が発生した場合には、図１１に示すように、両面搬送路２７を開放して、ジャム除去することができる。
【００９０】
「変形例２」
図１２（ａ）は変形例２に係る自動採点装置１Ｂの内部構成を示す断面模式図、（ｂ）は自動採点装置１Ｂにおける用紙詰まり時の用紙除去を説明する断面模式図、図１３は自動採点装置１Ｂの動作の流れを説明する断面模式図、図１４（ａ）は自動採点装置１Ｂにおいて画像読み取りが正常に行われない場合の動作を説明する断面模式図、（ｂ）は追加問題印刷時の用紙Ｐの搬送を示す断面模式図、図１５はテスト教材７０の印刷を説明する断面模式図である。
【００９１】
自動採点装置１Ｂは、インクジェット方式の画像形成部１０Ｂと、画像形成部１０の下部に装着された給紙装置２０Ｂと、読取装置３０Ｂと、操作表示部４０（付図視）と、画像処理部５０と、システム制御装置６０と、を備えて構成され、学習者によって解答欄に解答が記入されたテスト教材７０を読み取って採点を行い、採点結果を読み取ったテスト教材７０に追い刷り印刷する自動採点機能を有している。
また、使用者が作成するテスト教材７０を登録して保持するとともに、登録されたテスト教材７０を印刷する印刷機能も有している。
【００９２】
読取装置３０Ｂは、トレイＴ０と、送り出しローラ３１、レジストローラ対３２、コンタクト・イメージ・センサ（以下、ＣＩＳと記す）３３、第１搬送ローラ対３４、第２搬送ローラ対３５から構成されている。
読取装置３０Ｂは、トレイＴ０上に載置されたテスト教材７０をレジストローラ対３２で整列させてＣＩＳ３３の読取面に密着させながら搬送してテスト教材７０の画像読み取りを行う。
【００９３】
このような構成の自動採点装置１Ｂでは、テスト教材７０をトレイＴ０の上に置いて、操作表示部４０のスタートボタンを押すと送り出しローラ３１が降下して（図１３（ａ）中  矢印２参照）テスト教材７０を停止した状態のレジストローラ対３２に向かって送り出す。そして、テスト教材７０はレジストローラ対３２でループを形成した後、レジストローラ対３２が回転を開始して、ＣＩＳ３３に送り出される（図１３（ａ）中  矢印３参照）。
【００９４】
次に送り出しローラ３１が上昇し（図１３（ｂ）中  矢印４参照）、ＣＩＳ３３は第１搬送ローラ対３４と第２搬送ローラ対３５で搬送されるテスト教材７０の表面を読み取り（図１３（ａ）中  矢印５参照）、画像読み取りが正常か否か判断される。
画像が正常に読み取られた場合、搬送ローラ３８を回転させてテスト教材７０を反転位置まで引き込む（図１３（ｂ）中  矢印６参照）。ＣＩＳ３３で画像読み取りが正常に行われなかった場合には、引き込み動作を停止してテスト教材７０をトレイＴ０へ排出し、操作表示部４０にエラー表示を行う（図１４（ａ）参照）。
ここで、ＣＩＳ３３から反転位置までの距離Ｌ（図１３（ｃ）中  Ｌ参照）は、テスト教材７０の長さより長く設定されている。
【００９５】
テスト教材７０の後端がＣＩＳ３３を通過して、画像読み取りが終了すると、搬送ローラ３８を反転して、テスト教材７０を画像形成部１０へ向かって送り出す（図１３（ｃ）中  矢印７参照）。
そして、画像形成部１０で、送り出されるテスト教材７０にインクジェット方式で追い刷り印刷され（図１３（ｄ）中  矢印８参照）、トレイＴ０上に排出される（図１３（ｄ）中  矢印９参照）。
【００９６】
登録されたテスト教材７０を印刷する場合には、操作表示部４０から追加問題印刷を選択して、用紙トレイ２１から用紙Ｐを給送して画像形成部１０で追加問題を印刷する（図１４（ｂ）参照）。
【００９７】
（２）自動採点装置の機能構成と動作
図１５はテスト教材７０の具体的な一例を示す概略図、図１６はデータベース部６３に登録されるテスト教材７０の例を示す概略図、図１７はテスト教材の他の例を示すが概略図、図１８は画像処理部５０の内部構成を示すブロック図、図１９は再テスト用に採点結果が追い刷り印刷されたテスト教材７０の具体的な一例を示す概略図、図２０は再テスト用に不正解の解答欄が白塗りされたテスト教材７０の具体的な例を示す概略図、図２１は再テスト用に採点結果が追い刷り印刷されたテスト教材７０の具体的な例を示す概略図である。
以下、図面を参照しながら、自動採点装置１の機能構成と採点処理について説明する。
【００９８】
（２．１）自動採点装置の機能構成
自動採点装置１は、  図２のブロック図に示すように、印刷制御部６１、画像入力部６２、データベース部６３、データ管理部６４を含むシステム制御装置６０を備え、システム制御装置６０はメモリに記憶された制御プログラムを実行して、自動採点装置１全体の動作制御を行う。
【００９９】
（２．２）テスト教材
図１５に示すように、テスト教材７０は、学校や学習塾などの教育機関で用いられる、問題用紙やテスト用紙と呼ばれるもので、例えば問題として横列と縦列に０〜９までの数字がランダムに記載され、それぞれの数字に対応する枠が解答欄７１として設定されている百ます計算用紙が挙げられる。
また、テスト教材７０には、上述した問題や解答欄７１の他に、解答者情報欄７２とテストの実施履歴等を管理するための管理情報欄７３が設けられている。解答者情報欄７２は、解答者となる学習者の氏名や学年、クラスなどに関する解答者情報が記入される欄である。管理情報欄７３は、テスト教材７０を一意に識別特定するための識別情報が記入される欄であり、本実施形態においては、二次元コードパーンとしてのＱＲコード（登録商標）の一部に埋め込まれていてもよい。
管理情報欄７３は、登録される際に、予め記録されていてもよく、解答欄７１に解答が記入されたテスト教材７０を読取装置３０で読み取って採点結果を追い刷り印刷する際に印刷することにより記録されてもよい。
【０１００】
図１６に示すように、解答者情報欄７２を含む一定の領域には、採点結果の印刷する位置と範囲を画定するための枠７２ａが記録されている。枠７２ａは、不可視の色材（例えば、イエロードット）で印刷されるように設定されていてもよい。これにより、学習者に不要な情報を隠蔽して、採点結果を表示する領域を予め指定することができる。
また、枠７２ａは、テスト教材７０の使用者（教師等）が所持する蛍光ペンで塗られた蛍光色の領域を含むテスト教材７０を画像読み取りすることで記録されてもよく、テスト教材の使用者が解答欄の配置や解答の属性情報、採点結果を表示する領域を予め設定することができる。
【０１０１】
図１７には、テスト教材の他の例を示す。図示のように、テスト教材７０Ａは、例えば連続番号が付された複数（図例では３個）の問題に対応する解答欄７１Ａを有するものである。問題と解答欄７１Ａの対応関係は、１つの問題に対して１つの解答欄７１Ａを設け、解答欄７１Ａには、解答の属性を表す属性情報７１Ａａが記録されている。
図例のテスト教材７０Ａの場合は、属性として、「人」、「匹」、「個」が記録されている。解答欄７１Ａに解答の属性情報が記録されている場合、解答欄７１Ａに記入された手書き文字を読み取ってＯＣＲ処理する際の認識率を向上させることができる。
【０１０２】
図例のテスト教材７０Ａにおいても、解答者情報欄７２Ａを含む一定の領域には、採点結果の印刷する位置と範囲を画定するための枠７２ａが記録されている。枠７２ａは、不可視の色材（例えば、イエロードット）で印刷されるように設定されていてもよい。これにより、学習者に不要な情報を隠蔽して、採点結果を表示する領域を予め指定することができる。
【０１０３】
このようなテスト教材７０、７０Ａについては、解答欄７１、７１Ａが未記入のテスト教材７０、７０Ａと、解答欄７１、７１Ａに正答を記入した状態のテスト教材７０、７０Ａをそれぞれ画像読み取りすることで、それぞれの画像データの差分を抽出し、抽出データを正答の情報としてデータベース部６３に蓄積することができる。
【０１０４】
（２．３）採点処理
印刷制御部６１は、給紙装置２０、手差し給紙装置２３、画像形成部１０が備える露光装置１２、感光体ユニット１３、現像装置１４、転写装置１５、定着装置１６等に対して、動作制御指示を与える。具体的には、画像処理部５０で生成された画像情報を画像形成部１０に画像データとして送信し、採点したテスト教材７０、７０Ａに採点結果を追い刷り印刷する。また、データベース部６３に登録されたテスト教材７０、７０Ａの情報を画像形成部１０に画像データとして送信し、テスト教材７０、７０Ａを印刷する。
【０１０５】
画像入力部６２は、読取装置３０との間の情報授受についての制御及び動作制御指示を与える。画像入力部６２は、読み取り対象となるテスト教材７０をスキャンして画像データを読み取る読取装置３０を介してテスト教材７０の画像データを入力するものである。
読取装置３０は、例えば、テスト教材７０の画像を光学的に読み取ることにより、テスト教材７０の画像データ（スキャンデータ）を生成する、例えば、コンタクト・イメージ・センサを用いて構成されるものである。
【０１０６】
データベース部６３は、種々のデータを保持蓄積するものである。データベース部６３は、例えばハードディスク等の記憶装置を用いて構成され、データを蓄積する機能のほかに、蓄積したデータを処理（読み出し、更新、削除、検索等）する機能を備える。データベース部６３には、テスト教材７０に関する情報として、例えば、図１５、図１６、図１７に示すような、テスト教材７０、７０Ａのオリジナル画像データ、テスト教材識別情報及びレイアウト情報等が相互に対応付けられて登録されている。
【０１０７】
テスト教材７０、７０Ａのオリジナル画像データは、図１５、図１６、図１７に示すように、解答欄７１、７１Ａ及び解答者情報欄７２に何も記入（加筆）されていない、元の未記入状態のテスト教材７０、７０Ａの画像データである。テスト教材７０、７０Ａのオリジナル画像データは、例えば、このテスト教材７０、７０Ａを作成した教材販売メーカ等から記録媒体に記録して提供されたものを読み出してデータベース部６３に登録（蓄積）してもよいし、未記入状態のテスト教材７０、７０Ａの画像を外部接続されたスキャナ装置や装置本体に装着された読取装置３０等で読み取って得られた画像データをデータベース部６３に登録してもよい。
【０１０８】
画像処理部５０は、画像入力部６２によって入力された画像データを用いて種々の画像処理を行う。本実施形態に係る画像処理部５０は、通常の印刷画像データ生成機能のほか、テスト教材の採点処理機能画像処理機能として、図１８に示すように、解答者情報抽出部５１と、正誤判定部５２と、不正解位置特定部５３と、教材データ生成部５４と、管理情報抽出部５５とを有している。
【０１０９】
解答者情報抽出部５１は、読み取られた画像データの中から解答者情報を抽出するものである。解答者情報は、テストを受ける学習者によって解答者情報欄７２に鉛筆等で記入されるものであるため、その解答者情報欄７２の位置を指定することにより、例えば、画像入力部６２から入力されたテスト教材７０の画像データと、データベース部６３に蓄積されている解答者データとを比較し、それらの差分データから解答者情報を抽出する。
また、解答者情報は、解答者情報欄７２から抜き出したビットマップ形式の画像データのままで抽出してもよく、抜き出した画像データをＯＣＲ処理して得られるテキストデータで抽出してもよい。ビットマップ形式の画像データで解答者情報を抽出した場合は、その画像パターン又は画像の特徴に基づいて解答者を一意に識別することができる。
【０１１０】
正誤判定部５２は、解答欄７１、７１Ａに記入された解答が「正解（○）」であるか、「不正解（×）」であるかを判定するものである。具体的には、例えば、解答欄７１、７１Ａに鉛筆等で記入された解答の画像形状を認識し、その認識した画像形状を、例えば予め登録してある「正解」の形状とのパターンマッチングを行い、この結果、「正解」の形状に類似する場合は「正解（○）」であると判定し、「正解」の形状に類似しない場合は「不正解（×）」であると判定する。
【０１１１】
パターンマッチングの結果、「正解」、「不正解」の判定ができない場合、システム制御装置６０は、読取装置３０で読み取った画像データを通信回線８２を介して使用者（採点者）に送信し、その後、使用者が採点した採点結果を取得して採点結果とする。「正解」、「不正解」の判定ができない場合としては、読取装置３０での読み取りエラー、記述式の解答、部分点が配点される不完全解答等が挙げられる。
【０１１２】
不正解位置特定部５３は、不正解とされた解答欄７１、７１Ａの位置を特定するものである。具体的には、データベース部６３に登録してあるテスト教材７０、７０Ａのレイアウト情報に含まれる解答欄７１の位置情報（座標データ）の中から、正誤判定部５２で不正解と判定された解答欄の位置情報を読み出すか、正誤判定部５２で正解と判定された解答欄を除く、他の解答欄の位置情報を読み出すことにより、不正解の解答欄の位置を特定することができる。
【０１１３】
図１９には、再テスト用に採点結果が追い刷り印刷されたテスト教材の具体的な例を示す。本実施形態における自動採点装置１においては、テスト教材７０、７０Ａの採点で正解の解答が記入された解答欄７１、７１Ａだけに「○」を付け、不正解の解答が記入された解答欄７１、７１Ａには「×」を付けないように追い刷り印刷をする（図１９中  破線領域参照）。これにより、不正解の解答に対して、学習者が一度解答を記入したテスト教材７０、７０Ａを使って再テストを行えるようにすることができる。
【０１１４】
教材データ生成部５４は、不正解位置特定部５３によって位置の特定がなされた不正解の解答欄に対応する問題を含むテスト教材７０、７０Ａの画像データを生成するものである。
教材データ生成部５４は、不正解の解答欄を元の空欄の状態に変換する処理を行う。変換処理の具体的な手法としては、不正解の解答が記入された解答欄の内部を、テスト教材７０、７０Ａの地色と同じ色の画像で塗りつぶすように画像データを生成する。これにより、テスト教材７０、７０Ａの地色に合わせて不正解の解答欄を空欄にして、学習者が一度解答を記入したテスト教材７０、７０Ａを使って再テストを行えるようにすることができる。
【０１１５】
また、教材データ生成部５４は、画像入力部６２によって入力された画像データに不正解位置特定部５３によって位置の特定がなされた不正解の解答欄を白塗りにしてテスト教材７０、７０Ａの画像データを生成する。図２０に示すように、生成された画像データは、印刷制御部６１を介して画像形成部１０で新たな用紙Ｐに印刷され、テスト教材７０、７０Ａが毀損した場合に、不正解の解答欄を空欄にして再テストを行えるようにすることができる。
【０１１６】
また、教材データ生成部５４は、画像入力部６２によって入力された画像データが当該テスト教材７０、７０Ａの最初の画像データである場合、管理情報抽出部５５で抽出されることになる管理情報の一例としてのＱＲコード（登録商標）を二次元コードパターンとして生成する。テスト教材７０、７０ＡにＱＲコード（登録商標）を付加することで、学習者ごとに採点結果を管理することができる。また、テスト教材７０、７０ＡにＱＲコード（登録商標）が付加されていた場合、テスト教材７０、７０Ａを読取装置３０で読み取る際に、前回読み取った正解の解答欄７１、７１ＡについてのＯＣＲ処理は行わないようにすることができる。これにより、採点の精度を向上させることができる。
【０１１７】
図２１には、再テスト用に採点結果が追い刷り印刷されたテスト教材の具体的な例を示す。教材データ生成部５４は、画像入力部６２によって入力された画像データが当該テスト教材７０、７０Ａの２回目以降の画像データである場合、テスト教材７０、７０Ａの前回の点数に取り消し線を重ねて画像データを生成するとともに、前回の点数が印刷された領域の近傍に今回の点数を追い刷り印刷するように画像データを生成する。
また、教材データ生成部５４は、採点結果が前回の採点よりも向上している場合には、前回に比べて、点数をより大きく追い刷り印刷できるように画像データを生成し、特に、採点結果が満点であった場合には、満点未満であった場合に比べて、点数を大きく追い刷り印刷できるように画像データを生成する。
また、教材データ生成部５４は、学習者の属するクラスの平均点や学習者のクラス内での順位を追い刷り印刷するように画像データを生成してもよい。
これにより、テスト教材７０、７０Ａを利用して学習する学習者の学習意欲を向上させる情報を提供することができる。
【０１１８】
教材データ生成部５４は、追い刷り印刷する画像データは、前回と異なる色で印刷するように画像データを生成する。具体的には、正解を表す判定マーク、不正解を表す判定マーク及び点数を、前回と異なる色で追い刷り印刷することで、学習者の学習効果をより高めることができる。
【０１１９】
教材データ生成部５４は、今回の採点結果が、満点でなかった場合には、データベース部６３に登録（蓄積）されているテスト教材の中から、新たなテスト教材の画像データを生成して印刷するように画像データを生成する。これにより、採点結果が満点でなかった学習者に対して追加テスト教材を提供することができる。
【０１２０】
教材データ生成部５４は、解答が一義的に確定しない問題の場合、画像入力部６２によって入力された画像データに当該解答欄を特定するオブジェクト画像を付加して画像データを生成する。オブジェクト画像を付加して生成された画像データは、システム制御装置６０が通信回線８２を介して使用者（採点者）へ送信する。これにより、当該画像データを取得した使用者（採点者）は、当該解答欄を容易に認識することができる。
【０１２１】
データ管理部６４は、データベース部６３を用いて種々のデータ管理を行うものである。その管理項目の１つとして、データ管理部６４は、解答者情報で区分される学習者一人ひとりにつき、テスト教材７０、７０Ａに含まれる複数の問題ごとに、例えば、それぞれに対応する解答欄７１、７１Ａに正解の解答が記入されるまでに実施したテスト実施回数（再テスト回数）とテストごとの点数を管理テーブルとして管理する。
管理テーブルは、解答者情報（学習者の学年及び氏名等）で特定される学習者ごとに、データベース部６３に登録されるものである。
【０１２２】
このような機能構成を有する自動採点装置１、１Ａ、１Ｂにおいては、テスト教材をデータベース部６３に登録して、使用者（教師等）は必要に応じて画像形成部１０でテスト教材として印刷して使用することができる。学習者（生徒等）によって、解答欄７１、７１Ａに解答が記入されたテスト教材７０、７０Ａは、読取装置３０で読み取られ、画像処理部５０で当該テスト教材７０、７０Ａに不正解の解答欄を空欄の状態にした採点結果を追い刷り印刷できるように画像データが生成される。
これにより、不正解の解答に対して、当該テスト教材（答案用紙）を使って再テストを行えるようにする自動採点装置及び自動採点システムを提供することができる。
【符号の説明】
【０１２３】
１、１Ａ、１Ｂ・・・自動採点装置
１０・・・画像形成部
２０・・・給紙装置
２５・・・手差し給紙装置
３０、３０Ａ、３０Ｂ・・・読取装置
３１・・・送り出しローラ
３２・・・レジストローラ
３３・・・ＣＩＳ
４０・・・操作表示部
５０・・・画像処理部
５１・・・解答者情報抽出部
５２・・・正誤判定部
５３・・・不正解位置特定部
５４・・・教材データ生成部
５５・・・管理情報抽出部
６０・・・システム制御装置
６１・・・印刷制御部
６２・・・画像入力部
６３・・・データベース部
６４・・・データ管理部
７０、７０Ａ・・・テスト教材
７１、７１Ａ・・・解答欄
７２、７２Ａ・・・解答者情報欄
【図１】
2019023673.tif 000003
【図２】
2019023673.tif 000004
【図３】
2019023673.tif 000005
【図４】
2019023673.tif 000006
【図５】
2019023673.tif 000007
【図６】
2019023673.tif 000008
【図７】
2019023673.tif 000009
【図８】
2019023673.tif 000010
【図９】
2019023673.tif 000011
【図１０】
2019023673.tif 000012
【図１１】
2019023673.tif 000013
【図１２】
2019023673.tif 000014
【図１３】
2019023673.tif 000015
【図１４】
2019023673.tif 000016
【図１５】
2019023673.tif 000017
【図１６】
2019023673.tif 000018
【図１７】
2019023673.tif 000019
【図１８】
2019023673.tif 000020
【図１９】
2019023673.tif 000021
【図２０】
2019023673.tif 000022
【図２１】
2019023673.tif 000023